(57)【要約】【課題】偏光情報および／または分光情報を検出し、偏光画像および／または分光画像が取得可能であるとともに、通常の画像取得時における輝度の低下、ゴーストやフレアの発生を抑制可能な撮像装置を提供する。【解決手段】画素アレイを有するイメージセンサ１４と、イメージセンサ１４の画素に対応した所定の位置に偏光フィルタおよび／または分光フィルタが配置されたフィルタアレイを有する光学フィルタ１２と、画像データを生成する画像生成部１５と、を有し、光学フィルタ１２は、前記入射光を構成する主成分の光と、該主成分の光よりも透過量の少ない副成分の光をそれぞれ透過し、画像生成部１５は、前記主成分の光に対しイメージセンサ１４が出力した信号から第一画像データを生成し、前記主成分の光及び前記副成分の光に対しイメージセンサ１４が出力した信号から第二画像データを生成する撮像装置である。【選択図】図１
2015095879.tif 000002
【特許請求の範囲】
【請求項１】
画素アレイを有するイメージセンサと、
前記イメージセンサの画素に対応した所定の位置に、入射光に対し偏光成分を選択して透過させる偏光フィルタおよび／または波長帯を選択して透過させる分光フィルタが配置されたフィルタアレイを有する光学フィルタと、
前記光学フィルタを透過した光を受光した前記イメージセンサからの出力信号に基づき、画像データを生成する画像生成部と、を有する撮像装置において、
前記光学フィルタは、前記入射光を構成する主成分の光と、該主成分の光よりも透過量の少ない副成分の光をそれぞれ透過し、
前記画像生成部は、前記主成分の光に対し前記イメージセンサが出力した信号から第一画像データを生成し、前記主成分の光及び前記副成分の光に対し前記イメージセンサが出力した信号から第二画像データを生成することを特徴とする撮像装置。
【請求項２】
前記第一画像データが、偏光画像及び分光画像の少なくともいずれかのデータであり、前記第二画像データが、輝度画像データであることを特徴とする請求項１に記載の撮像装置。
【請求項３】
前記主成分の光が、偏光フィルタの透過軸に平行な方向の光であり、前記副成分の光が、偏光フィルタの透過軸と直交する方向の光であることを特徴とする請求項１または２に記載の撮像装置。
【請求項４】
前記偏光フィルタは、透過軸と直交する方向の光の透過率が５０％以上であることを特徴とする請求項１から３のいずれかに記載の撮像装置。
【請求項５】
前記偏光フィルタは、ワイヤグリッド構造を有することを特徴とする請求項１から４のいずれかに記載の撮像装置。
【請求項６】
前記イメージセンサの画素サイズに対する前記光学フィルタのフィルタ領域の面積比率により、光の透過率を調整することを特徴とする請求項１から５のいずれかに記載の撮像装置。
【請求項７】
前記光学フィルタは、前記イメージセンサの画素サイズに対し、所定の割合でフィルタ領域が存在しない領域を有することを特徴とする請求項６に記載の撮像装置。
【請求項８】
透過軸と直交する方向の光の透過率が５０％以上であることを特徴とする偏光フィルタ。
【発明の詳細な説明】
【技術分野】
【０００１】
本発明は、撮像装置及び該撮像装置の光学フィルタを構成する偏光フィルタに関する。
【背景技術】
【０００２】
一般的な撮像装置の撮像原理は、撮像領域からの光の強さ（輝度情報）を検出し、この輝度情報に基づいて画像を形成するというものである。従来、輝度画像のみでは得られない画像情報を取得するために、偏光フィルタや分光フィルタ等、様々な光学フィルタが使用された撮像装置が知られている（例えば、特許文献１〜３参照）。
【０００３】
特許文献１には、輝度情報及び複数の偏光情報を同時に得ることに加え、被写体からの光を構成する偏光成分と無偏光成分とを分離したり、ある特定の成分を抽出したりすることにより画像処理精度を向上させた偏光イメージング装置として、それぞれ透過軸が異なる３つ以上の偏光子の領域に分かれており、入射される入力光のうち、前記各領域において当該入力光の無偏光成分を透過させると共に、前記各領域によって偏光方向が異なる前記入力光の偏光成分を透過させる偏光子ユニットを１個又は複数個含む偏光子アレイと、前記各領域を透過した光を独立に受光する受光素子アレイと、前記受光素子アレイからの前記偏光成分及び無偏光成分を処理する画像処理部と、を有する偏光イメージング装置が開示されている。
【０００４】
特許文献２には、カラー画像と偏光情報とを同時に取得することの可能な画像処理方法および画像入力方法を実現する装置として、カラーモザイクフィルタを有する単板カラー撮像素子と、前記カラーモザイクフィルタの同一色画素内において異なる角度の透過偏波面を有する複数の偏光子単位が配置されたパターン化偏光子と、を有するカラー偏光撮像装置が開示されている。
【０００５】
特許文献３には、偏光方位が異なる２種類以上であって、構成や構造が簡素な偏光素子を備えた固体撮像装置として、光電変換素子、及び、光電変換素子の光入射側に設けられた偏光素子を備えた固体撮像素子を複数有する固体撮像装置であって、偏光方位が異なる２種類以上の偏光素子を備え、各偏光素子は、光電変換素子側から、ストライプ状の反射層、反射層上に形成された絶縁層、及び、絶縁層上に離間された状態で形成された複数の断片から成る光吸収層の積層構造を有する固体撮像装置が開示されている。
【０００６】
上述の撮像装置では、イメージセンサの受光面上に画素配列に合わせた偏光フィルタアレイを実装することにより、１回の撮影で２種類以上の異なる偏光成分の画像を同時に取得できるように構成されている。偏光フィルタアレイとしては、画素サイズと同程度の大きさで配列する必要があるため、半導体製造プロセスによる微細構造を利用したワイヤグリッド偏光子や、フォトニック結晶偏光子が利用されている。
【発明の概要】
【発明が解決しようとする課題】
【０００７】
特許文献１の偏光イメージング装置では、偏光フィルタとしてオートクローニング法によるフォトニック結晶フィルタが用いられているが、このフィルタは多層膜フィルタであり、透過しない偏光成分は全て反射されるため、撮像装置内でゴーストやフレアなどを生じるという問題がある。
一方、特許文献３の固体撮像装置では、最表面に吸収層を付加したワイヤグリッド偏光素子が用いられているが、反射光が低減される範囲は特定の波長範囲に限られるため、フレアの発生が避けられない。また、積極的に吸収を利用しているため、透過率自体が低下してしまうという問題がある。
【０００８】
入射光が反射されると、撮像装置内でゴーストやフレアなどを生じる問題に加え、通常のカメラと比較して明るさが半分程度に低下してしまうという問題がある。
画像認識用のカメラ等においては、通常画像は高い分解能が必要な場合に用いられ、通常画像だけでは判別が困難な対象物の物性に関する情報には偏光画像や分光画像が用いられるが、入射光の約半分が反射された場合、通常の画像と同時に偏光画像や分光画像を取得する際、通常画像取得時の感度が通常のカメラの半分程度となってしまう。
【０００９】
そこで、本発明は上記課題を鑑み、偏光情報および／または分光情報を検出し、偏光画像および／または分光画像が取得可能であるとともに、通常の画像取得時における輝度の低下、ゴーストやフレアの発生を抑制可能な撮像装置を提供することを目的とする。
【課題を解決するための手段】
【００１０】
上記課題を解決するために、本発明に係る撮像装置は、画素アレイを有するイメージセンサと、前記イメージセンサの画素に対応した所定の位置に、入射光に対し偏光成分を選択して透過させる偏光フィルタおよび／または波長帯を選択して透過させる分光フィルタが配置されたフィルタアレイを有する光学フィルタと、前記光学フィルタを透過した光を受光した前記イメージセンサからの出力信号に基づき、画像データを生成する画像生成部と、を有する撮像装置において、前記光学フィルタは、前記入射光を構成する主成分の光と、該主成分の光よりも透過量の少ない副成分の光をそれぞれ透過し、前記画像生成部は、前記主成分の光に対し前記イメージセンサが出力した信号から第一画像データを生成し、前記主成分の光及び前記副成分の光に対し前記イメージセンサが出力した信号から第二画像データを生成することを特徴とする撮像装置である。
【発明の効果】
【００１１】
本発明の撮像装置によれば、偏光情報および／または分光情報を検出し、偏光画像および／または分光画像が取得可能であるとともに、通常の画像取得時における輝度の低下、ゴーストやフレアの発生を抑制可能な撮像装置を提供することができる。
【図面の簡単な説明】
【００１２】
【図１】本実施形態の撮像装置の概略構成の一例を示す模式図である。
【図２】光学フィルタとイメージセンサの断面の部分拡大図である。
【図３】光学フィルタとイメージセンサの断面模式図（Ａ）と、光の透過率、受光量、反射光量、受光量変化の関係を示す表（Ｂ）である。
【図４】イメージセンサの画素と、光学フィルタの偏光フィルタとの対応の例を示す説明図である。
【図５】光学フィルタのワイヤグリッド構造の一例を示す断面図である。
【発明を実施するための形態】
【００１３】
以下、本発明に係る撮像装置及び偏光フィルタについて図面を参照して説明する。なお、本発明は以下に示す実施例の実施形態に限定されるものではなく、他の実施形態、追加、修正、削除など、当業者が想到することができる範囲内で変更することができ、いずれの態様においても本発明の作用・効果を奏する限り、本発明の範囲に含まれるものである。
【００１４】
本実施形態における撮像装置の概略構成を図１に示す。
撮像装置１０は、主に、撮像レンズ１１と、光学フィルタ１２と、画素（受光素子）が２次元配置された画素アレイ（受光素子アレイ）であるイメージセンサ１４と、光学フィルタ１２を透過した光を受光したイメージセンサ１４からの出力信号に基づき、画像データを生成する画像生成部とを有する。
光学フィルタ１２は、イメージセンサ１４の画素に対応した所定の位置に、入射光に対し偏光成分を選択して透過させる偏光フィルタおよび／または波長帯を選択して透過させる分光フィルタが配置されたフィルタアレイを有する。
前記画像生成部は、イメージセンサ１４から出力されるアナログ電気信号をデジタル電気信号に変換した撮像画像データを生成して出力する信号処理部１５と、信号処理部１５から出力された撮像画像データから画像データを生成して出力する画像処理部１６とから構成されている。
【００１５】
図１に示すように、本実施形態の撮像装置はオプティカルローパスフィルタ等の光路分岐手段１３を備えていてもよい。図１に示す構成では、被写体（被検物）を含む撮像領域からの光は、撮像レンズ１１を通り、光路分岐手段１３を通過して光学フィルタ１２を透過し、イメージセンサ１４でその光強度に応じた電気信号に変換される。
信号処理部１５では、イメージセンサ１４から出力される電気信号（アナログ信号）が入力されると、その電気信号から、撮像画像データとして、イメージセンサ１４上における各単位受光領域の明るさ（輝度）を示すデジタル信号を、画像の水平・垂直同期信号とともに後段の機器へ出力する。
なお、本実施形態では、１つの単位受光領域は１つの受光素子で構成されているが、２以上の受光素子群により構成してもよい。
【００１６】
光学フィルタ１２は、入射光を構成する主成分の光と、該主成分の光よりも透過量の少ない副成分の光をそれぞれ透過し、画像生成部は、前記主成分の光に対しイメージセンサ１４が出力した信号から第一画像データを生成し、前記主成分の光及び前記副成分の光に対しイメージセンサ１４が出力した信号から第二画像データを生成する。
例えば、前記第一画像データは、偏光画像及び分光画像の少なくともいずれかのデータであり、前記第二画像データは、輝度画像データである。
【００１７】
偏光画像データ及び分光画像データは、公知の方法（例えば、特許文献４（特開２０１３−３１０５４）、特許文献５（特開２０１３−１８７８１２）等に記載の方法）により取得することができる。一方、輝度画像は、イメージセンサ１４による画像データであってもよく、周囲画素の平均により得た画像データであってもよい。
【００１８】
通常画像は高い分解能が必要な場合に用いられ、通常画像だけでは判別が困難な対象物の物性に関する情報は偏光画像や分光画像を用いる。例えば、対象の物体の欠陥の形状や大きさはダイナミックレンジが大きく取れる通常画像で測定し、個々の欠陥の性質などを偏光画像や分光画像と組み合わせて分類する。
例えば、本実施形態の撮像装置が車載カメラである場合、路面に何かパターンがある場合、パターンの形状や位置は通常画像で評価し、それがどういう物体なのか（実際に物体が存在するのか、何らかの光源の反射光か、影か等）、また路面の凍結の状態などを偏光画像や分光画像から識別することができる。
【００１９】
図２（Ａ）は、光学フィルタ１２とイメージセンサ１４とを示す模式図であり、図２（Ｂ）及び（Ｃ）は、その部分拡大図である。
イメージセンサ１４は、ＣＣＤ（Charge  Coupled  Device）やＣＭＯＳ（Complementary  Metal  Oxide  Semiconductor）などを用いたイメージセンサであり、その受光素子にはフォトダイオード１４ａを用いている。フォトダイオード１４ａは、画素ごとに２次元的にアレイ配置されており、フォトダイオード１４ａの集光効率を上げるために、各フォトダイオード１４ａの入射側にはマイクロレンズ１４ｂが設けられている。
このイメージセンサ１４がワイヤボンディングなどの手法によりＰＷＢ（printed  wiring  board）に接合され、センサ基板が形成されている。
図２（Ｂ）に示すように、イメージセンサ１４のマイクロレンズ１４ｂ側の面に、光学フィルタ１２が近接配置されている。
【００２０】
光学フィルタ１２は、上述のように入射光を構成する主成分の光と、該主成分の光よりも透過量の少ない副成分の光をそれぞれ透過するが、例えば、光学フィルタ１２を構成する偏光フィルタにおいて、前記主成分の光は、偏光フィルタの透過軸に平行な方向の光（ＴＭ成分）であり、前記副成分の光が、偏光フィルタの透過軸と直交する方向の光（ＴＥ成分）である。
【００２１】
本実施形態において光学フィルタ１２は、偏光方向が互いに直交する２つの偏光成分（ＴＭ成分及びＴＥ成分）のうちの一方を透過するフィルタ領域１２ａと他方を透過するフィルタ領域１２ｂとが配置されたフィルタ領域パターンを有している。以下、偏光方向が互いに直交する２つの偏光成分を透過させる２種類のフィルタ領域１２ａ，１２ｂを備えた構成について説明する。
【００２２】
図２（Ｃ）に上面図を示す光学フィルタ１２ａは、フィルタ領域が図中上下方向に長尺なものを図中左右方向に並べたストライプ状のフィルタ領域パターンを備えたものである。フィルタ領域パターンはこれに限られるものではない。このようなフィルタ領域パターンをもった光学フィルタ１２には、フォトリソグラフィプロセスや干渉露光プロセスで形成可能なワイヤグリッド偏光子や、オートクローニング法で形成されるフォトニック結晶偏光子（ＰｈＣ偏光子：フォトニックラティス社）などが利用できる。また、イメージセンサ１４のピクセルサイズレベルの微細加工が可能であれば、色素、顔料を用いた吸収タイプの偏光子や、金属微粒子を用いた偏光子でもよい。
【００２３】
図５（Ａ）及び図５（Ｂ）に、ワイヤグリッド構造を有する偏光フィルタの例を示す。
図５（Ａ）に示すワイヤグリッド構造を有する偏光フィルタは、金属細線（グリッドライン）２１の周期ｐが波長よりもはるかに小さい場合には、グリッド方向に対して平行に偏光された電磁放射を反射し、直交する偏光の電磁放射を透過する偏光子として機能する。
金属細線２１を形成する材料としては、可視光領域にて吸収が少ないという特性上、アルミニウム（Ａｌ）が主として利用されている。アルミニウムを主成分としたワイヤグリッド素子では、赤外光や可視光領域にて、透過軸と並行な方向である透過側の透過率（ＴＭ透過率：Ｔｔｍ）を高く保ち、透過軸と直交する方向である遮断側の透過率（ＴＥ透過率：Ｔｔｅ）を低くし、コントラスト（消光比のことであり、ＴＭ透過率とＴＥ透過率の比）を高くすることができる。
金属細線が配置される基板２２の材質としては、例えば、ホウケイ酸ガラスなどが挙げられる。
【００２４】
従来の偏光フィルタにおけるグリッド構造は、基板２２上に金属細線２１が光波長以下の周期で配置されており、可視光域の波長で使われるタイプとしては、高さｈが１００ｎｍ以上、周期ｐが１５０ｎｍ以下、線幅ｗはピッチの半分程度、光学性能として可視光波長で透過側の透過率Ｔｔｍが９０％程度、遮断側の透過率Ｔｔｅが１％以下であるのが一般的である。
一方、本実施形態では、遮断側の透過率Ｔｔｅを大きくするために、ｈが１００ｎｍ以下、ｐが１５０ｎｍ以上あってもよい。ワイヤグリッド構造に要求される加工精度が緩和されることにより、イメージセンサ１４上にオンチップフィルターとして形成する場合でも歩留まりを確保することができる。
遮断側の透過率Ｔｔｅを大きくする加工方法により、透過軸と直交する方向の光の透過率（ＴＥ成分の透過率：Ｔｔｅ）が５０％以上である偏光フィルタが得られる。
【００２５】
一般的に耐久性に関する問題として、微細化したアルミニウムは水と反応し易く、腐食が生じ易いことが知られている。このような問題に対し、図５（Ｂ）に示すようにグリッド間のスペースをＳｉＯｘやＳｉＮなどの透明なＣＶＤ膜、ＳＯＧ膜、有機膜などの誘電膜で埋める構造とすることもできる。この構造は、一般的にＴＥ成分の透過率（Ｔｔｅ）が上昇する要因であるが、本実施形態では好適に利用することができる。
【００２６】
本実施形態において光学フィルタ１２を構成する偏光フィルタは、透過軸と直交する方向の光の透過率（ＴＥ成分の透過率：Ｔｔｅ）が５０％以上であることが好ましい。
すなわち、本実施形態の撮像装置は、透過軸と直交する方向の光の透過率（ＴＥ成分の透過率：Ｔｔｅ）が５０％以上である本発明の偏光フィルタを備えることが好ましい。
【００２７】
光学フィルタ１２を構成するフィルタ領域としては、入射する光をそのまま透過させる領域が含まれていてもよく、イメージセンサ１４の画素サイズに対する光学フィルタ１２のフィルタ領域の面積比率により、光の透過率を調整することができる。具体的な偏光フィルタの構成について、図４により説明する。
【００２８】
図４（Ａ）は、イメージセンサ１４のフォトダイオード１４ａの面積で示す画素サイズ（以下、単に「画素サイズ１４ａ」と表す）に対し、光学フィルタ１２の符号１２ａ,１２ｂで示すフィルタ領域を示したもので、所定の割合でフィルタ領域が存在しない領域を有する。
本実施形態のフィルタ領域の透過率は、ＴＭ透過率（Ｔｔｍ）が９０％、ＴＥ透過率（Ｔｔｅ）が１％であり、フィルタ領域が存在しない領域の透過率はいずれの偏光も９８％である。
【００２９】
図４（Ｂ）〜（Ｃ）は偏光方向が互いに直交する２つの偏光成分を透過させる２種類のフィルタ領域１２ａ，１２ｂを交互に配置した例を示している。
図４（Ｂ）は、イメージセンサ１４の画素サイズ１４ａの一辺を６μｍ、フィルタ領域の一辺を４．２μｍ、フィルタ領域とフィルタ領域が存在しない領域との面積の比を４９：５１とした例である。この場合、画素サイズ１４ａにおける平均の透過率は、ＴＭ透過率（Ｔｔｍ）が９４．１％、ＴＥ透過率（Ｔｔｅ）が５０．５％となる。
このように、イメージセンサ１４の画素サイズ１４ａに対する光学フィルタ１２のフィルタ領域１２ａ（１２ｂ）の面積比率により、ＴＭ透過率（Ｔｔｍ）とＴＥ透過率（Ｔｔｅ）の比率を調整することができる。
【００３０】
図４（Ｃ）では、イメージセンサ１４の画素サイズ１４ａの一辺を６μｍ、フィルタ領域の一辺を２．３μｍ、フィルタ領域とフィルタ領域が存在しない領域との面積の比を１５：８５とした例である。この場合、画素サイズ１４ａにおける平均の透過率は、ＴＭ透過率（Ｔｔｍ）が９６．８％、ＴＥ透過率（Ｔｔｅ）が８３．７％となる。
なお、イメージセンサ１４の画素サイズ１４ａに対する光学フィルタ１２のフィルタ領域１２ａ（１２ｂ）の面積比率が同じであれば、図４（Ｄ）に示すようにフィルタ領域１２ａ、１２ｂにおけるフィルタ構造を分割して配置することも可能である。また、イメージセンサ１４のフォトダイオード１４ａの構造などから受光に寄与しない領域があれば、その領域を除いた面積から、フィルタ領域の面積を決めることができる。
【００３１】
図３により、上述のようにＴＭ透過率（Ｔｔｍ）とＴＥ透過率（Ｔｔｅ）の比率を調整する効果を説明する。
図３（Ａ）はイメージセンサ１４と光学フィルタ１２の部分拡大図であり、イメージセンサ１４の構成としてマイクロレンズ１４ｂの下方に配線層１４ｃ及び基板１４ｄを示している。図中矢印で入射光Ｐｉ、イメージセンサ１４に到達する光Ｐｓ、光学フィルタ１２により反射される反射光Ｐｒを示している。それぞれの光量を、図３（Ｂ）に示す。
【００３２】
フィルタ領域のＴＭ透過率（Ｔｔｍ）が８０％、ＴＥ透過率（Ｔｔｅ）が１％である場合において、まず、ＴＭ透過率（Ｔｔｍ）とＴＥ透過率（Ｔｔｅ）の比率を調整しない従来例（比較例）におけるそれぞれの光量を説明する。
入射光Ｐｉの入射光量を１００、ＴＭ成分とＴＥ成分の比率Ｔｍ／Ｔｅを５０／５０とすると、
イメージセンサ１４に到達する光Ｐｓの光量（受光量）は、
（ＴＭ成分の透過量）＋（ＴＥ成分の透過量）＝５０×０．８＋５０×０．０１＝４０．５
光学フィルタ１２により反射される光Ｐｒの光量（反射光量）は、
（入射光量）−（受光量）＝１００−４０．５＝５９．５
となる。
【００３３】
すなわち、通常の輝度画像取得においては、入射光１００のうち４０．５％しか利用できず、５９.５％が反射されてゴースト、フレアの原因となってしまう。
この構成では、偏光成分の変化による受光量変化（Ｔｔｍ−Ｔｔｅ）は、入射光１００に対し８０−１であり、偏光成分の変化に対する感度は高いが、通常画像の取得においては感度が通常の撮像装置の半分程度に低下する。
【００３４】
これに対し、ＴＭ透過率（Ｔｔｍ）とＴＥ透過率（Ｔｔｅ）の比率を調整し、ＴＥ透過率（Ｔｔｅ）を５０％以上とした本実施形態の例（実施例１、実施例２）を以下に示す。
【００３５】
（実施例１）
本実施形態では、フィルタ領域のＴＭ透過率（Ｔｔｍ）が９０％、ＴＥ透過率（Ｔｔｅ）が５０％である。
入射光Ｐｉの入射光量を１００、ＴＭ成分とＴＥ成分の比率Ｔｍ／Ｔｅを５０／５０とすると、
イメージセンサ１４に到達する光Ｐｓの光量（受光量）は、
（ＴＭ成分の透過量）＋（ＴＥ成分の透過量）＝５０×０．９＋５０×０．５＝７０
光学フィルタ１２により反射される光Ｐｒの光量（反射光量）は、
（入射光量）−（受光量）＝１００−７０＝３０
となる。
従来例と比較して、イメージセンサ１４の受光量（Ｐｓの光量）が増加するとともに、反射光量（Ｐｒの光量）が減少している。一方、偏光成分の変化による受光量の変化（Ｔｔｍ−Ｔｔｅ）は、入射光１００に対し９０−５０となる。しかしながら、偏光成分の割合は周辺画素の受光量との比較で決定することが一般的であるため、例えば、検査用の撮像装置においては偏光情報が有効となる、不要な反射光成分の除去には十分な輝度変化である。
【００３６】
（実施例２）
本実施形態では、フィルタ領域のＴＭ透過率（Ｔｔｍ）が９８％、ＴＥ透過率（Ｔｔｅ）が８５％である。
入射光Ｐｉの入射光量を１００、ＴＭ成分とＴＥ成分の比率Ｔｍ／Ｔｅを５０／５０とすると、
イメージセンサ１４に到達する光Ｐｓの光量（受光量）は、
（ＴＭ成分の透過量）＋（ＴＥ成分の透過量）＝５０×０．９８＋５０×０．８５＝９１．５
光学フィルタ１２により反射される光Ｐｒの光量（反射光量）は、
（入射光量）−（受光量）＝１００−９１．５＝８．５
となる。
従来例と比較して、イメージセンサ１４の受光量（Ｐｓの光量）が増加するとともに、反射光量（Ｐｒの光量）が大幅に減少している。一方、偏光成分の変化による受光量の変化（Ｔｔｍ−Ｔｔｅ）は、入射光１００に対し９８−８５となる。通常の輝度画像撮影では一般的な検査用撮像装置と遜色ないレベルだが、偏光成分の特定には周辺画素との比較が重要であるため、本実施形態の構成は、画素数の多い撮像装置に好適である。
【００３７】
以上、偏光フィルタにより構成された光学フィルタにおいて偏光情報を検出し、偏光画像を取得するとともに通常の画像取得時における輝度の低下、ゴーストやフレアの発生を抑制可能な態様を説明したが、分光フィルタにより構成された光学フィルタや、偏光フィルタ及び分光フィルタにより構成された光学フィルタにおいても同様の効果を得ることができる。
【符号の説明】
【００３８】
１０      撮像装置
１１      撮像レンズ
１２      光学フィルタ
１２ａ    フィルタ領域
１２ｂ    フィルタ領域
１３      光路分岐手段
１４      イメージセンサ
１４ａ    フォトダイオード（画素サイズ）
１４ｂ    マイクロレンズ
１４ｃ    配線層
１４ｄ    基板
１５      信号処理部
１６      画像処理部
２１      金属細線（ワイヤグリッド）
２２      基板
【先行技術文献】
【特許文献】
【００３９】
【特許文献１】特開２００７−８６７２０号公報
【特許文献２】特開２００９−５５６２４号公報
【特許文献３】特開２０１２−８００６５号公報
【特許文献４】特開２０１３−３１０５４号公報
【特許文献５】特開２０１３−１８７８１２号公報
【図１】
2015095879.tif 000003
【図２】
2015095879.tif 000004
【図３】
2015095879.tif 000005
【図４】
2015095879.tif 000006
【図５】
2015095879.tif 000007